(57)【要約】【課題】  混在ゴミの分別回収において装置を複雑にせず、円滑に効率よくビニール片を分別回収する。【解決手段】  ブロワで吸引した混在ゴミ、すなわちプラスチックフィルム片、空のペットボトル、空のアルミ缶を含むゴミを回収箱に分別して回収する。回収箱への各ゴミの分別は排出口からの排出空気流が壁面に衝突した反転流により行う。衝突面直下に重いゴミである空きアルミ缶、空きプラスチックボトルの回収箱を配置し、これから離れてプラスチックフィルム片を回収箱に回収する。前壁には排出空気流れのガイド面を設けて流れを適切に案内する。【選択図】図１
2019195906.tif 000002
【特許請求の範囲】
【請求項１】
プラスチックフィルム片、空の軽量飲料容器を含む混在ゴミを吸引して搬送し、回収室に排出する際、この回収室に配置された複数の回収箱のそれぞれに上記プラスチックフィルム片と、空の軽量飲料容器とを分別して回収する混在ゴミの分別回収装置にあって、
上記回収室への混在ゴミの排出口を回収室の後壁上部に配置し、この排出口から混在ゴミを回収室の前壁に向かって排出する際、前壁に設けられた傾斜したガイド面に案内されて混在ゴミは回収室内を斜め下方に向かって排出されて上記前壁に当接することで反転して前壁近傍の床面に配置された飲料容器回収箱には上記空の軽量飲料容器が回収されるとともに、この飲料容器回収箱より後壁側に配置されたフィルム片回収箱には上記プラスチックフィルム片が回収されるよう構成した混在ゴミの分別回収装置。
【請求項２】
上記飲料容器回収箱は、上記床面と垂直で上記前壁に沿って起立する前側壁と、この前側壁と対向し、上側開口が底壁よりも拡大するよう傾斜した後側壁とを有する請求項１に記載の混在ゴミの分別回収装置。
【発明の詳細な説明】
【技術分野】
【０００１】
この発明は混在ゴミの分別回収装置、例えばプラスチックフィルム片を分別回収する混在ゴミの分別回収装置に関する。
【背景技術】
【０００２】
飲料容器の回収は、一般には、ペットボトル、アルミ缶などが混在した状態でビニール袋に収容されて集められ、その後、回収場では廃棄物素材毎の分別が行われる。すなわち、混在ゴミの分別は、その飲料容器の素材毎に、アルミ缶、鉄缶、ペットボトル（プラスチックボトル）、ガラス瓶として集められることによる。この場合、ビニール袋の破片は、これら分別ゴミから取り除く必要があった。再生処理においてビニール片の混在は好ましくないからである。
【０００３】
そこで、ビニール片（プラスチックフィルム片）を自動的に分別する技術として特許文献１に記載されたものが知られている。
このものは、破袋されたビニール袋は吸引フードよりブロワにて吸引し、捕集機に捕集される構成とされている。
【先行技術文献】
【特許文献】
【０００４】
【特許文献１】特開平６−３２０１３６号公報
【発明の開示】
【発明が解決しようとする課題】
【０００５】
しかしながら、特許文献１に記載のゴミ選別装置にあっては、吸引されたビニール袋片などはいったん水中に捕集してからビニール袋片を収容袋に収容する構成であったため、水中からビニール片を回収するコンベア装置などが必要であって、その装置構成が複雑化、大型化していた。また、ビニール片は水中に沈下させて水底のコンベヤベルト上に搭載して搬出する構成であったため、回収に時間を要するという問題もあった。
【０００６】
そこで、発明者は鋭意研究の結果、吸引したビニール片の排出流れを反転させることにより簡単に分別できることを知見し、この発明を完成させた。
【０００７】
すなわち、この発明は、プラスチックフィルム片を含む混在の分別回収装置を提供することを目的としている。分別回収することで資源の有効活用を促進することとなる。
【課題を解決するための手段】
【０００８】
請求項１に記載の発明は、プラスチックフィルム片、空の軽量飲料容器を含む混在ゴミを吸引して搬送し、回収室に排出する際、この回収室に配置された複数の回収箱のそれぞれに上記プラスチックフィルム片と、空の軽量飲料容器とを分別して回収する混在ゴミの分別回収装置にあって、上記回収室への混在ゴミの排出口を回収室の後壁上部に配置し、この排出口から混在ゴミを回収室の前壁に向かって排出する際、前壁に設けられた傾斜したガイド面に案内されて混在ゴミは回収室内を斜め下方に向かって排出されて上記前壁に当接することで反転して前壁近傍の床面に配置された飲料容器回収箱には上記空の軽量飲料容器が回収されるとともに、この飲料容器回収箱より後壁側に配置されたフィルム片回収箱には上記プラスチックフィルム片が回収されるよう構成した混在ゴミの分別回収装置である。
【０００９】
混在ゴミの回収装置は、集荷したゴミ袋を破りその中の混在ゴミを、搬送コンベヤのコンベヤベルト上に搭載する破袋ステーションと、破袋ステーションよりも下流側で、このコンベヤベルト上の混在ゴミをブロワで吸引する吸引ステーションとを含むことができる。なお、混在ゴミ中の重量物、例えば中身が残されたボトル、缶類、ガラス容器などはブロワでは吸引されない。
【００１０】
上記混在ゴミには、飲料容器等の収集袋を破袋して搭載されたプラスチックフィルム片、空の軽量飲料容器（例えば空のプラスチックボトル、空のアルミ缶など）を含む。要は、ブロワでの吸引・搬送が可能な大きさ、重さのものとして、上記空きアルミ缶、空きペットボトルおよびプラスチックフィルム片を含むものである。このとき、混在ゴミの吸引は、ブロワにより行うことが一般的である。
回収室には前壁を垂直に立設し、その床にはビニール片などのプラスチックフィルム片の回収箱を前壁側に設置し、また前壁上端部には排出口から排出されたプラスチックフィルム片、空きアルミ缶、空きプラスチックボトルを含む排出空気の流れをその後壁に向かって流れるようＵターンさせる傾斜面を有するガイド壁面を形成してある。
【００１１】
請求項２に記載の発明は、上記飲料容器回収箱は、上記床面と垂直で上記前壁に沿って起立する前側壁と、この前側壁と対向し、上側開口が底壁よりも拡大するよう傾斜した後側壁とを有する請求項１に記載の混在ゴミの分別回収装置である。
【００１２】
なお、上記回収室の左右の側壁および天井は網材で形成することができるのに対して、前壁は板材（空気流を反射する壁であるため）で構成される。
また、上記複数の回収箱は、回収室内ではその前壁側からその回収対象となるゴミについてその比重の重い順番に並んで配設されている。すなわち、前壁側から後壁に向かって、空き飲料容器、例えば空きペットボトルおよび空きアルミ缶の回収箱、プラスチックフィルム片回収箱の順番に並んで配設されている。その結果、重いゴミが反射して前壁直下に落下し、それより軽いもの程前壁で反射した空気流により離れた位置の回収箱に落下収容される。
すなわち、前壁に最も近い床面に空き軽量飲料容器の回収箱が設置されて空きアルミ缶、空きペットボトルを回収し、後壁側の回収箱でプラスチックフィルム片などを回収する。
このように、コンベアベルト上のプラスチックフィルム片を含む混在ゴミを吸引し、吸引パイプ中を搬送し、回収室にて複数の回収箱にその混在ゴミの種類に応じて分別して排出する。
混在ゴミを回収室の前壁に向かって排出する際、前壁のガイド面に案内されて混在ゴミは斜め下方に向かって排出されて前壁に当接することで反転して前壁近傍に配置された空き缶、空きプラスチックボトルなどが混在して回収箱されるとともに、これより後壁側に配置されたプラスチックフィルム片回収箱にはプラスチックフィルム片が分別されて回収される。
【発明の効果】
【００１３】
請求項１，請求項２に記載の発明によれば、プラスチックフィルム片、空の軽量飲料容器、例えば空のプラスチックボトル、空のアルミ缶を含む混在ゴミから、プラスチックフィルム片を分別して回収することができる。また、空の軽量飲料容器である空のプラスチックボトル、空のアルミ缶も同時にプラスチック宇フィルムとは分別して回収することができる。ブロワ吸引によるため、これらの分別に際して円滑に、短時間で行うことができる。資源の有効利用に大いに寄与することができる。回収されたプラスチックフィルム片は、例えばセメント工場などの燃料としても利用することができる。
【００１４】
請求項２に記載の発明によれば、排出口から排出された混在ゴミを含む空気流のＵターン流れの形成を促進することができる。すなわち、分別回収を促進することができる。
空の軽量飲料容器の回収箱の後壁側の壁面は傾斜面で形成し、その回収箱の上側開口を底面より拡大した結果、空の軽量飲料容器はは前壁に突き当たりＵターンし、回収箱に落下する。このとき、これらより軽量であるプラスチックフィルム片は、より遠くに吹き飛ばされてそのプラスチックフィルム片回収箱中に落下回収されることとなる。
【図面の簡単な説明】
【００１５】
【図１】この発明の一実施例に係る混在ゴミの分別回収装置の概略全体構成を示す正面図である。
【図２】この発明の一実施例に係る混在ゴミの分別回収装置の回収室の前壁を示す斜視図である。
【発明を実施するための形態】
【００１６】
以下、この発明の一実施例を、図面を参照して具体的に説明する。
【実施例】
【００１７】
図１〜図２において、１１は混在ゴミの分別回収装置を示し、この混在ゴミの回収装置１１は、混在ゴミを搬送するコンベヤ装置を含んでいる。コンベヤ装置は、コンベヤベルト１２を有し、このコンベヤベルト１２の上流側に配置される破袋ステーション１２１と、そのコンベヤベルト１２の下流側に配置された吸引ステーション１３とを備えている。
破袋ステーション１２１では、集荷されたゴミ袋（ビニール袋）を破り、その中の混在ゴミ（プラスチックフィルム片、空きアルミ缶、空きペットボトルを含む）をこのコンベヤベルト１２上に搭載する。この破袋、搭載作業は作業者が行う。
吸引ステーション１３は破袋ステーション１２１よりも下流側に設置され、ここではこのコンベヤベルト１２上の混在ゴミをブロワ１４で吸引する。
ブロワ１４は所定径の吸引管（吸引チューブ）１５Ａ，１５Ｂ，１５Ｃを有しており、この吸引管１５Ａの一端が上記コンベヤベルト１２の上面に開口して吸引口とされている。また、この吸引管１５Ｃの他端は回収室２１に開口して排出口とされる。吸引管１５Ｂはこれらの吸引管１５Ａ，１５Ｃを連結している。すなわち、ブロワ１４によりコンベヤベルト１２上の混在ゴミを吸引ステーション１３において吸引口より吸引し、排出口より回収室２１に排出するように構成されている。
ここに、上記混在ゴミは、ビニール袋の破砕片などであるラスチックフィルム片、空の軽量飲料容器、例えば空のプラスチックボトル（ＰＥＴボトル）や空のアルミ缶を含む。
【００１８】
回収室２１は、所定広さの床面を有しており、板材で形成された垂直な前壁２２と後壁２３との間の平坦な床面の上に前壁側から後壁側に向かって順に複数の回収箱Ａ，Ｂ，Ｃが配置されている。
壁際の回収箱Ａには、空のプラスチックボトルおよび空のアルミ缶が落下して回収されるとともに、回収箱Ｂ，Ｃにはプラスチックフィルム片が収容・回収される。これらの回収箱Ａ，Ｂ，Ｃは、前壁２２側からその回収の対象物となるゴミについて比較的重いゴミであるアルミ缶、ＰＥＴボトルの回収箱Ａが、比較的軽いゴミであるプラスチックフィルム片の回収箱Ｂ，Ｃがこの順番に並んで配設されている。これは、前壁２２に反射した空気の流れに軽いゴミは乗って遠くまで飛ばされるが、重量の大きいゴミであるアルミ缶などは、前壁衝突後直下に落下し、飛翔する水平距離が短いからである。
具体的には、吸引管１５Ｃの排出口を回収室２１の後壁２３の上部に配置してあり、排出口は斜め下方に向かって開口している。よって、この排出口からは混在ゴミが回収室２１の前壁２２に向かって斜めに衝突するように所定の流速で排出されることとなる。このとき、混在ゴミは回収室２１内を斜め下方に向かって回収室２１内天井近くを横断するように排出され、前壁２２の上端部に設けられた傾斜したガイド面２４に案内されて上記前壁２２に所定角度で当接する。当接した混在ゴミは前壁２２で衝突し反転して（Ｕターンして）前壁２２直下の床面に配置された回収箱Ａに空のペットボトルおよび空のアルミ缶が落下・収容される。とともに、この回収箱Ａより後壁２３側に並んで配置された回収箱Ｂおよび回収箱Ｃには、プラスチックフィルム片などの軽いゴミが落下・収容される。重いゴミは手前の箱に、軽いゴミは反転した空気の流れに乗って遠くの箱にそれぞれ回収されるのである。
【００１９】
さらに、上記空のアルミ缶、ＰＥＴボトルの回収箱Ａは、上記床面と垂直で上記前壁２２に沿って起立する前側壁２５と、この前側壁２５と対向し、上側開口が底壁２６よりも拡大するよう傾斜した後側壁２７とを有している。すなわち、この後側壁２７が後壁２３に向かって斜めに、上側開口を広く開くように傾斜しているため、反転した気流を阻害することなく、反転流の速度の減少を最小限度に保持することとなる。よって、この反転空気流が，プラスチックフィルム片がより遠くまで確実に飛翔することを助けることとなる。
なお、上記回収室２１の両側壁および天井は網材で形成されている。混在ゴミが外部に飛び出すことを防止するものである。
図２には、前壁２２とそのガイド面である傾斜面２４（垂直な前壁とは３０〜４５度の角度で交差している。）について示す。傾斜面２４および前壁面２２はコの字形状のフード材（左右端および上縁から後方に向かって所定長さだけ突出する板材）２８で覆われており、反転空気流（反射流れ）の拡散を防止する。
【００２０】
以上の構成に係る混在ゴミの分別回収装置１１にあっては、破袋されてコンベヤベルト１２上にランダムに搭載されて搬送された混在ゴミ（空のアルミ缶、空のＰＥＴボトル、ビニール片など）は、吸引ステーション１３においてブロワ１４の吸引力により吸引される。このとき、もしガラスびんや飲み残しの飲料が封入されているアルミ缶、ペットボトルなどの重量物がコンベヤベルト１２上に存在した場合、これらは吸引されることはなく、このステーション１３より下流側でコンベヤベルト１２上から作業員により手選別して回収される。
吸引管１５Ａ，１５Ｂ，１５Ｃ内を通って搬送された上記混在ゴミは、排出口から回収室２１内に所定速度の空気流とともに排出される。このとき、混在ゴミは排出口より斜め下方に向かって、すなわち前壁２２に向かって排出する際、前壁２２に設けられた傾斜したガイド面（傾斜した平面）２４に案内されて混在ゴミは回収室２１内を斜め下方に向かって排出されて上記前壁２２に当接する。そして、当接した混在ゴミを含む流れは反転して前壁近傍の床面に配置された回収箱Ａには空きアルミ缶、空きペットボトルが落下して回収されるとともに、この回収箱Ａより後壁２３側（回収室中央部から後壁側）に並んで配置された上側に開口を有する回収箱Ｂ，Ｃには混在ゴミから重いゴミを除いた軽いゴミであるプラスチックフィルムの破片がそれぞれ落下・収容される。なお、回収箱Ｂ，Ｃについては網材で側壁、底壁を形成してある。なお、これら回収箱Ａ，Ｂ，Ｃはキャスタ付きの回収箱であり、回収室２１への出し入れを容易としている。
この場合、上記空きアルミ缶などの回収箱Ａは、上記床面と垂直に起立する前側壁２５に対向し、下方から後壁２３側に向かって斜めに傾斜した平板である後側壁２７を有する。この後側壁２７にガイドされた結果、上記反転空気流の流れは上方に向かってスムーズに進むこととなり、ビニール片を含む軽いゴミの上昇・搬送に支障を来すことがなく、設定通りに回収箱Ｂ，Ｃにそれぞれ格納されることとなる。
なお、回収室２１内に形成されるゴミ排出流（図中破線表示）は、排出口より斜め下方に向かい前壁２２に当接して反転し、斜め下方に向かい床面または回収箱Ａの底面に反射して斜め上方に向かうＵターンした流れ形状となる。最初に衝突する前壁２２は図２に示すようにフード材２８で周縁が囲まれているため、また、ガイド面２４により拡散することなく、所定速度の空気流れとして形成されている。
なお、空きペットボトルなどの回収箱Ａ、軽いゴミであるプラスチックフィルム片の回収箱Ｂ，Ｃの上側の開口面積はそれぞれそのゴミ量により決定することとする。
【産業上の利用可能性】
【００２１】
この発明は、風力を使用した混在ゴミの分別回収装置の技術として有用である。
【符号の説明】
【００２２】
１１  混在ゴミの分別回収装置、
１４  ブロワ、
１５Ａ，１５Ｂ，１５Ｃ  吸引管、
２１  回収室、
２２  前壁、
２４  ガイド面、
２７  後側壁、
Ａ，Ｂ，Ｃ  回収箱。
【図１】
2019195906.tif 000003
【図２】
2019195906.tif 000004